(57)【特許請求の範囲】
【請求項１】
表示板の支持部材を設けたベースにマグネットを取り付け、該マグネットにより前記ベースの底面を被着面に付着させてなるマグネットポップであって、前記ベースに突出部材を前記底面から前記被着面に対して出没自在に設けると共に、該突出部材に出没動作を付与する作動子を前記ベースの両側部に該突出部材に対して出没方向に直交する方向にスライド自在に設けてなり、該作動子を両側から押圧することで、前記突出部材を突出させ前記被着面から前記ベースを離脱させるものであって、
前記突出部材及び前記作動子のいずれか一方に斜面を設け、前記一方の斜面に対向するいずれか他方に滑り面を設けてなり、前記作動子の動作により前記斜面及び前記滑り面を協動させ、前記突出部材を出没させることを特徴とするマグネットポップ。
【請求項２】
前記ベースにおける突出部材の設置場所は、前記ベースから突出部材が突出した際、前記表示板の板面の下方端を被着面から離間する方向に押し上げると共に、前記表示板の板面と前記被着面とで成す角度が変わる位置であることを特徴とする請求項１記載のマグネットポップ。
【請求項３】

前記支持部材を２枚の板によりＵ字のバネを構成した挟持形状とし、一方の板を湾曲に形成し、他方の板を平板とし、該一方の板を前記ベース側に位置させてなることを特徴とする請求項１又は２項記載のマグネットポップ。
【請求項４】
前記ベースの底面にエラストマーを貼りつけてなることを特徴とする請求項１〜３のいずれか１項記載のマグネットポップ。
【発明の詳細な説明】
【０００１】
【発明の属する技術分野】
本発明は、商品名や価格等の情報を示す表示板を挟持する支持部材をマグネット付きのベースで支え、このベースを鉄製品に付着させて使用するマグネットポップに関する。
【０００２】
【従来の技術】
従来、一般商店、コンビニエンスストアー及びスーパー等では、「マグネットポップ」と呼ばれる掲示具が使用されている。このマグネットポップは、表示板の支持部材を設けたベースにマグネットを取り付け、該マグネットにより前記ベースの底面を鉄製の陳列台などの被着面に付着させて、使用するものである。このマグネットポップは、鉄製品であれば容易に付着させて使用でき、不必要になれば容易に取り外し出来、しかも鉄製品に何ら跡が残ることがない。従って、このマグネットポップは、その取扱が容易であるから、その使用範囲が広がり、水平の被着面ばかりか、付着状態を維持するのに強力なマグネット力を必要とする側面や天井面などの被着面にも使用されるようになっている。それに伴って、マグネットポップは、そのベースに強力なマグネットを取り付けるようになってきた。
【０００３】
その結果、被着面からマグネットポップを取り外すのが難しくなり、これを解決するものとして、図７に示すようなマグネットポップが提案されている（特開平１１−２１９１０９号公報参照）。このマグネットポップ５０は、表示板の挟持部材５１が設けられたベース５２の内側にマグネット５３を固設して、マグネット５３の底面とベース５２の底面とが同一平面とされており、更に、ベース５２の片側内部に設けられた軸５４にベース５２の片側に収納されたてこ部材５５を回動自在に設けると共に、このてこ部材５５の底面もベース５２の底面と同一レベルにされ、てこ部材５５の外側部には軸５４よりも高い位置へベース５２の片側から外方へ延出された突出片５６を備えてなるものである。これにより、このマグネットポップ５０は、マグネット５３により被着面５７に付着されたベース５２の両側を摘み上げる動作、すなわち、矢線Ａ方向に押すと、てこ部材５５の突出片５６をベース５２の内側へ押し込むことにより、てこ部材５５の底面をベース５２の底面から下方へ突出させてベース５２を矢線Ｂ方向に押し上げ、被着面５７から取り外すようにしたものである。
【０００４】
【発明が解決しようとする課題】
上記従来のマグネットポップは、種々の被着面に対応出来るように、ベースに強力なマグネットが装着されているため、特に被着面から外す時に強い力が必要になる。このため、被着面からマグネットポップを取り外すのに、台等を使用する足場の悪い場合には強い力を出すことは危険である。また、図７のマグネットポップ５０は、表示板が大きく複数使用している場合には、片方づつマグネットポップ５０を外すとき、図８に示すようになり、表示板５８を変形させたり損傷させることがあり、充分な注意が必要になり煩わしい。
【０００５】
従って、本発明の目的は、強い力を加え無くても被着面から容易に外すことが出来、複数使用していても表示板を変形させたり損傷させることのないマグネットポップを提供することにある。
【０００６】
【課題を解決するための手段】
かかる状況において、本発明者らは、鋭意検討を行った結果、ベースに突出部材をベース底面から被着面に対して出没自在に設け、突出部材に出没動作を付与する作動子をベースの両側部にスライド自在に設けて、この作動子を両側から押圧して突出部材を突出させるようにすれば、強い力を加え無くても被着面から容易に外すことが出来、更に、突出部材の突出位置を考慮すれば、複数使用でも表示板を変形、損傷することが無いことを見出し、本発明を完成するに至った。
【０００７】
すなわち、本発明は、表示板の支持部材を設けたベースにマグネットを取り付け、該マグネットにより前記ベースの底面を被着面に付着させてなるマグネットポップであって、前記ベースに突出部材を前記底面から前記被着面に対して出没自在に設けると共に、該突出部材に出没動作を付与する作動子を前記ベースの両側部に該突出部材に対して出没方向に直交する方向にスライド自在に設けてなり、該作動子を両側から押圧することで、前記突出部材を突出させ前記被着面から前記ベースを離脱させるものであって、前記突出部材及び前記作動子のいずれか一方に斜面を設け、前記一方の斜面に対向するいずれか他方に滑り面を設けてなり、前記作動子の動作により前記斜面及び前記滑り面を協動させ、前記突出部材を出没させることを特徴とするマグネットポップを提供するものである。かかる構成を採ることにより、作動子を両側から押圧すれば、突出部材を突出させ被着面からベースを離脱させマグネットポップを外せて、しかも人が作動子を両側から内方の突出部材に向かって押圧するだけであるから、強い力を使用してもベースが被着面から離脱した際、勢い余ることがない。また、上記機能に加え、簡易な構造で突出部材を突出させ被着面からベースを離脱させることができる。
【０００９】
また、本発明は、前記ベースにおける突出部材の設置場所は、前記ベースから突出部材が突出した際、前記表示板の板面の下方端を被着面から離間する方向に押し上げると共に、前記表示板の板面と前記被着面とで成す角度が変わる位置であることを特徴とするマグネットポップを提供するものである。かかる構成を採ることにより、上記機能に加え、表示板を支持するために複数のマグネットポップを使用し、複数のマグネットポップを同時にあるいは片方づつ外すため、ベースから突出部材を突出させても、表示板の板面と被着面とで成す角度が変わるだけであるから、表示板に外力がかかりづらい。
【００１０】
また、本発明は、前記支持部材を２枚の板によりＵ字のバネを構成した挟持形状とし、一方の板を湾曲に形成し、他方の板を平板とし、該一方の板を前記ベース側に位置させてなることを特徴とするマグネットポップを提供するものである。かかる構成を採ることにより、上記機能に加え、表示板を支持部材に挟んだ際、バネ状の一方の板が表示板により隠れ、バネ状でない他方の板が表示板上に現れる。
【００１１】
また、本発明は、前記ベースの底面にエラストマーを貼りつけてなることを特徴とするマグネットポップを提供するものである。かかる構成を採ることにより、上記機能に加え、エラストマーによりマグネットポップがずれにくくなる。
【００１２】
【発明の実施の形態】
以下、実施の形態を挙げて本発明を図１〜図６に基づいて詳述する。
図１は本発明の実施の形態であるマグネットポップを示す斜視図、図２は図１のマグネットポップを分解した状態を示す斜視図、図３はマグネットポップの裏面図、図４はマグネットポップの断面図である。図面において、マグネットポップ１は、表示板２の支持部材３を設けたベース４にマグネット５を取り付け、このマグネット５によりベース４の底面４ａを被着面６に付着させてなり、ベース４に突出部材７をベース４の底面４ａから被着面６に対して出没自在に設けると共に、この突出部材７に出没動作を付与する作動子８をベース４の両側部４ｂにスライド自在に設けてなり、この作動子８を両側から押圧することで、突出部材７を突出させ被着面６からベース４を離脱させるものである。
【００１３】
前記表示板２は、商品名や価格等の情報を提供するものであり、支持部材３に装着することが出来れば、その形状、材質に限定がない。また、支持部材３も表示板２を装着支持できれば、特に限定が無い。この実施例では、２枚以上の板による挟持形状とし、一方の板を湾曲しバネ状１０ａに形成し、該バネ状板１０を前記ベース４側に位置させ、他方の板は特に加工せず平板１１としている。従って、表示板２を支持部材３に挟んだ際、バネ状板１０が表示板２により隠れ、平板１１が表示板２上に現れ、デザイン的にすっきりさせることができる。
【００１４】
前記ベース４は、マグネット５等を収納する下部箱体２０と、下部箱体２０に被せる蓋体２１とからなる。そして、この蓋体２１の上面には取付腕２２、２３があり、一方の取付腕２２に支持ボルト２４を通し、更に前記支持部材３の回動片２５及び他方の取付腕２３に通して、取付腕２３側にあるナット２６に螺着することで、ベース４に対して支持部材３を回動自在に取り付けている。
【００１５】
一方、下部箱体２０は、前記マグネット５を収納する部屋３０、突出部材７及び作動子８を収納する部屋３１及び後述するエラストマー４０を収納する部屋３２に区画されている。マグネット５は、複数の鉄板３３により複数のマグネット片３４がサンドイッチ状に挟まれて形成され、部屋３０に収容されて、更に、鉄板３３の下部３３ａが下部箱体２０のスリット孔３５に嵌められている。
【００１６】
突出部材７は、その側部にある凸部７ａが部屋３１の凹部３１ａにスライド自在に嵌合し、部屋３１にある角孔３６から出没自在となっている。一方、作動子８は、部屋３１内で突出部材７に対して直交する方向に、部屋３１の両側からスライド自在に嵌合され、作動子８にある斜面８ａが突出部材７の滑り面７ｂに当接している。そして、双方の作動子８を両側から突出部材７に向かって押圧すると、作動子８の斜面８ａにより突出部材７の滑り面７ｂを押し、突出部材７の突端７ｃは角孔３６から出て被着面６を押すことになり、ベース４の底面４ａをマグネット５の吸着力に抗して離脱させ得る。逆に突端７ｃを押し戻せば突出部材７の滑り面７ｂが作動子８の斜面８ａを押し返し、作動子８は元の位置に戻る。
なお、ベース４における突出部材７の設置場所は、ベース４の角孔３６から突出部材７が突出した際、図６に示すように、表示板２の板面の下方端２ａを被着面６から離間する方向に押し上げると共に、表示板２の板面と被着面６とで成す角度αが変わる位置である。従って、表示板２を支持するために複数のマグネットポップ１を使用し、複数のマグネットポップ１を同時にあるいは片方づつ外すために、ベース４から突出部材７を突出させても、表示板２の板面と被着面６とで成す角度αが変わるだけであるから、表示板２に外力がかかりづらい。
また、３７はストッパーで、作動子８がベース４脱落しないようにするためのものである。
【００１７】
エラストマー４０は、部屋３２の側面にある凸部３２ａに嵌められ、下部箱体２０の切欠４１を埋めている。従って、被着面６にベース４の底面４ａを付着させた際、エラストマー４０の摩擦力により、ベース４をずれにくくする。
【００１８】
次に、上記構成になるマグネットポップ１の使用方法を説明する。
まず、必要とする情報が記載されている表示板２及びこれに適合する支持部材３を有したマグネットポップ１を必要数用意する。そして、支持部材３に表示板２を嵌め、表示板２を掲示したい陳列台等の被着面６にマグネット５の吸着力を利用してベース４の底面４ａを付着させて、マグネットポップ１による表示板２の設置を終了する。なお、設置したマグネットポップ１はエラストマー４０により移動しずらくなっている。
【００１９】
次に、表示板２と共にマグネットポップ１を取り外す場合は、手指等で作動子８を両側から突出部材７に向かって押圧すると、下部箱体２０の角孔３６から２本の突出部材７の突端７ｃが出て、マグネット５の吸着力に抗して被着面６を押すから、被着面６からベース４の底面４ａを離脱させ、マグネット５の吸着力が急速に衰え、被着面６から表示板２と共にマグネットポップ１を容易に取り外すことが出来る。この際、突出部材７の設置場所は、表示板２の板面の下方端２ａを被着面６から離間する方向に押し上げると共に、表示板２の板面と水平面とで成す角度が変更する位置なので、この角度が変更するだけで表示板２に外力がかかりづらく、表示板２が変形したり、損傷したりすることが無い。また、角孔３６から突出している２本の突出部材７の突端７ｃを戻すには、単に突端７ｃを押し戻せばよい。
【００２０】
なお、部屋３１内の突出部材７と下部箱体２０との間にスプリングを介在させても良く、このように構成されていれば、被着面６からマグネットポップ１を取り外した後、作動子８に対する押圧を止めれば、角孔３６から突出している２本の突出部材７の突端７ｃはスプリングにより自動的に引っ込むことになる。
【００２１】
以上、本発明の実施形態を説明したが、具体的な構成はこれに限定されず、本発明の要旨を逸脱しない範囲での変更、追加は本発明の範囲内である。
【００２２】
【発明の効果】
以上詳述したように、本発明によれば、作動子を両側から押圧すれば、突出部材を突出させ被着面からベースを離脱させマグネットポップを外せて、しかも人が作動子を両側から内方の突出部材に向かって押圧するだけであるから、強い力を使用してもベースが被着面から離脱した際、勢い余ることがない。従って、被着面からマグネットポップを容易に外せるとが出来、外す際勢い余って人がバランスを失ったり、表示板を変形、損傷させることがほとんど無くなる。また、簡易な構造で突出部材を突出させ被着面からベースを離脱させることができる。従って、構造が単純になる分、製作コストを低くすることが出来る。
【００２４】
また、本発明によれば、表示板を支持するために複数のマグネットポップを使用し、複数のマグネットポップを同時にあるいは片方づつ外すため、ベースから突出部材を突出させても、表示板の板面と水平面とで成す角度が変わるだけであるから、表示板に外力がかかりづらい。従って、表示板を変形させたり、損傷させたりすることが無くなる。
【００２５】
また、本発明によれば、表示板を支持部材に挟んだ際、バネ状の一方の板が表示板により隠れ、バネ状でない他方の板が表示板上に現れる。従って、表示板上がデザイン的にすっきりして、見栄えがよくなる。
【００２６】
また、本発明によれば、エラストマーの表面性状によりマグネットポップがずれにくくなる。従って、表示板の位置のずれなどを直すことが少なくすることが出来、メンテナンスが容易となる。
【図面の簡単な説明】
【図１】本発明の実施の形態であるマグネットポップを示す斜視図である。
【図２】図１のマグネットポップを分解した状態を示す斜視図。
【図３】本発明の実施の形態であるマグネットポップの裏面図である。
【図４】本発明の実施の形態であるマグネットポップの断面図である。
【図５】本発明の実施の形態であるマグネットポップの使用状態を示す断面図である。
【図６】本発明の実施の形態であるマグネットポップの使用状態を示す側面図である。
【図７】従来例を示す断面図である。
【図８】従来例を示す側面図である。
【符号の説明】
１、５０                マグネットポップ
２、５８                表示板
３                      支持部材
４、５２                ベース
４ａ                    底面
４ｂ                    両側部
５、５３                マグネット
６、５７                被着面
７                      突出部材
７ａ、３２ａ            凸部
７ｂ                    滑り面
７ｃ                    突端
８                      作動子
８ａ                    斜面
１０                    バネ状板
１０ａ                  バネ状
１１                    平板
２０                    下部箱体
２１                    蓋体
２２、２３              取付腕
２４                    支持ボルト
２５                    回動片
２６                    ナット
３０、３１、３２        部屋
３１ａ                  凹部
３３                    鉄板
３３ａ                  下部
３４                    マグネット片
３５                    スリット孔
３６                    角孔
３７                    ストッパー
４０                    エラストマー
４１                    切欠
５１                    挟持部材
５４                    軸
５５                    てこ部材
５６                    突出片
【図１】
0004642175.tif 000002
【図２】
0004642175.tif 000003
【図３】
0004642175.tif 000004
【図４】
0004642175.tif 000005
【図５】
0004642175.tif 000006
【図６】
0004642175.tif 000007
【図７】
0004642175.tif 000008
【図８】
0004642175.tif 000009